(57)【要約】【課題】ケース蓋をケース本体に容易に取り付けることができるとともにケース本体及びケース蓋を確実に結合することのできる放電灯点灯装置及びそれを用いた照明器具、冷蔵ショーケース用照明装置を提供する。【解決手段】プリント配線板１が載置される金属製のケース本体２及びプリント配線板１を覆うようにケース本体２に取り付けられる金属製のケース蓋３の構造において、ケース蓋３の短側片３２の短手方向に沿った両側縁の上端部には、外側に突出する略矩形状の突片３３をそれぞれ突設し、ケース本体２の脚片２１の長手方向の両端部には、短側片３２の下端縁と対向する略三角形状のリブ２６を脚片２１と連続一体にそれぞれ形成した。【選択図】図１
2008108644.tif 000002
【特許請求の範囲】
【請求項１】
放電灯へ高周波電力を供給するインバータ回路の構成部品が実装される略矩形状のプリント配線板と、プリント配線板の厚み方向においてプリント配線板に対向する略矩形状の主板及び主板の長手方向に沿った両側縁からプリント配線板の長手方向に沿った両側縁に沿って延設された一対の脚片から成る金属製のケース本体と、プリント配線板の厚み方向においてプリント配線板に対向する略矩形状の天板及び天板の長手方向に沿った両側縁から前記脚片を覆うように主板に向かって垂直に延設された一対の長側片及び天板の短手方向に沿った両側縁から前記長側片と直交し且つ主板に向かって垂直に延設された一対の短側片から成り前記プリント配線板を覆うようにケース本体に取り付けられる金属製のケース蓋とを備えた放電灯点灯装置であって、前記短側片は、短手方向に沿った両側縁から突設されて前記脚片の短手方向に沿った両側縁と対向する突片が設けられ、前記長側片は、長手方向の両端部においてそれぞれ開口部を有するとともに該開口部の内周から突出する掛止片が設けられ、前記脚片は、長手方向の両端部において前記掛止片が折曲されて掛止する掛止孔がそれぞれ貫設され、前記脚片が内側に倒れるのを規制する規制手段がケース本体若しくはケース蓋に設けられたことを特徴とする放電灯点灯装置。
【請求項２】
前記規制手段は、前記脚片の短手方向に沿った両側縁にそれぞれ設けられて短側片の短手方向に沿った両側縁と当接するリブから成ることを特徴とする請求項１記載の放電灯点灯装置。
【請求項３】
前記ケース本体及びケース蓋は、前記リブと前記短側片との間の距離が少なくとも折曲された掛止片の先端部の長さよりも短くなるように形成されたことを特徴とする請求項２記載の放電灯点灯装置。
【請求項４】
前記短側片は、短手方向に沿った両側縁において棒状の工具が挿入される凹部がそれぞれ設けられたことを特徴とする請求項１乃至３の何れか１項に記載の放電灯点灯装置。
【請求項５】
前記掛止片は、前記開口部内周の長手方向に沿った一方の側縁又は短手方向に沿った一方の側縁の何れかから突出することを特徴とする請求項１乃至４の何れか１項に記載の放電灯点灯装置。
【請求項６】
器具本体と、器具本体に取り付けられて放電灯が着脱自在に装着されるソケットと、ソケットを介して放電灯に電力を供給する請求項１乃至５の何れか１項に記載の放電灯点灯装置とを備えたことを特徴とする照明器具。
【請求項７】
商品を冷蔵、陳列する庫内に配設されて放電灯が着脱自在に装着されるソケットと、ソケットを介して放電灯に電力を供給する請求項１乃至５の何れか１項に記載の放電灯点灯装置とを備えたことを特徴とする冷蔵ショーケース用照明装置。
【発明の詳細な説明】
【技術分野】
【０００１】
本発明は、放電灯点灯装置及びそれを用いた照明器具、冷蔵ショーケース用照明装置に関する。
【背景技術】
【０００２】
従来から、蛍光灯のようなランプを点灯させるために放電灯点灯装置が提供されているが、このうち、一般にインバータ方式と呼ばれる放電灯点灯装置においては商用電源等の交流電源からの交流電圧を直流電圧に変換する直流変換部と、直流変換部の直流電圧出力を高周波電力に変換してランプに供給する高周波変換部とから成るインバータ回路が搭載されている。上記インバータ回路は、プリント配線板上に多数の電子部品が実装されて構成されているが、該プリント配線板に塵埃や水滴が付着するとショートや導通不良などの不具合が発生し、放電灯点灯装置が故障する虞があるためプリント配線板を金属あるいは樹脂等のケースに収納し、塵埃や水滴から保護している。一般的にプリント配線板を収納するケースは、プリント配線板が載置されるケース本体と、プリント配線板を覆うようにケース本体に取り付けられるケース蓋とから構成される（例えば、特許文献１参照）。
【０００３】
以下、上記のようなケースを備えた放電灯点灯装置の従来例を図面を用いて説明する。尚、以下の従来例の説明では、図７（ａ）における上下左右を上下左右方向、紙面手前側を前方向、紙面奥側を後方向と定める。この従来例は、図７に示すように、放電灯（図示せず）へ高周波電力を供給するインバータ回路の構成部品（図示せず）が実装される略矩形状のプリント配線板１と、プリント配線板１が載置される金属製のケース本体２と、前記プリント配線板１を覆うようにケース本体２に取り付けられる金属製のケース蓋３とから成る。
【０００４】
尚、ケース蓋３はプリント配線板１全体を覆うわけではなく、図８（ｂ）に示すように、プリント配線板１の前端部では、商用電源と上記インバータ回路との接続及び他の放電灯点灯装置との接続を行う一対の電源用端子１０と、放電灯の調光を行なうための調光信号の受信及び他の放電灯点灯装置への調光信号を伝送するための信号線が接続される一対の調光信号用端子１１とが外部に露出しており、プリント配線板１の後端部では、インバータ回路からソケット（図示せず）を介して放電灯へ高周波電力を供給するための給電線が接続される放電灯用端子１２が外部に露出している。また、プリント配線板１の前端部には、図７（ａ）に示すように接地用ネジ１３が設けられており、該接地用ネジ１３をプリント配線板１に貫通させてケース本体２と接続することで、インバータ回路の所定の部分を金属製のケース本体２と導通させて接地している。
【０００５】
ケース本体２は、図７（ａ）に示すように断面略コ字状に形成され、上下方向においてプリント配線板１に対向する略矩形状の主板２０と、主板２０の長手方向に沿った両側縁からプリント配線板１の長手方向に沿った両側縁に沿って延設された一対の脚片２１とから成る。脚片２１の前端部及び後端部には、プリント配線板１の前後方向の移動を規制する略弧状の規制部２２と、プリント配線板１が載置される断面略半円状の支持部２３と、プリント配線板１の上下方向の移動を規制する略矩形状の保持部２４とがそれぞれ設けられており、プリント配線板１を支持部２３に載置して前側の規制部２２と後側の規制部２２とで挟み込むことで、プリント配線板１の前後方向の移動が規制される。更に、保持部２４を折曲して保持部２４と支持部２３とで挟む込むことで、プリント配線板１の上下方向の移動も規制されてプリント配線板１がケース本体２に固定されるようになっている。
【０００６】
ケース蓋３は、図７（ａ）に示すように、上下方向においてプリント配線板１に対向する略矩形状の天板３０と、天板３０の長手方向に沿った両側縁から脚片２１を覆うように主板３０に向かって垂直に延設された一対の長側片３１と、天板３０の短手方向に沿った両側縁から長側片３１と直交し且つ主板３０に向かって垂直に延設された一対の短側片３２とから成る。長側片３１の短手方向に沿った両側縁及び短側片３２の短手方向に沿った両側縁は互いに一体に連結されずに所定長さだけ離間しており、ケース蓋３をケース本体２の上方から下げて、長側片３１と短側片３２との間にケース本体２の脚片２１を挿入することでケース本体２にケース蓋３が取り付けられる。
【０００７】
短側片の長手方向の両端部には、図８（ａ）に示すように各々略矩形状の開口部３４がそれぞれ設けられており、各開口部３４の内周の長手方向に沿った下端縁からは、短側片３２と連続一体に形成された略矩形状の掛止片３５が突設されている。また、脚片２１の長手方向の両端部には、ケース本体２とケース蓋３が取り付けられた状態において開口部３４と重なり合う略矩形状の掛止孔２５がそれぞれ貫設されており、掛止片３５を内側に折曲させて脚片２１の掛止孔２５に掛止することで、ケース本体２とケース蓋３とが結合される。
【０００８】
ここにおいて、短側片３２の短手方向に沿った両側縁には、図７（ｂ）に示すように各々外側に突出する略三角形状の突部３２ａが設けられており、該突部３２ａが脚片２１と当接することで脚片２１が内側に倒れるのを規制するとともに長側片３１と突部３２ａとで脚片２１を挟み込んで固定している。このように、脚片２１が内側に倒れるのを規制することで、掛止片３５が掛止孔２５から外れてケース本体２とケース蓋３との結合が解除されるのを防いでいる。
【特許文献１】特開２００２−１７５７１８号公報
【発明の開示】
【発明が解決しようとする課題】
【０００９】
ところで、上記従来例では、ケース本体２の脚片２１をケース蓋３の長側片３１と突部３２ａとで挟み込むようにして固定しているため、ケース蓋３をケース本体２に取り付ける際にはケース蓋３の長側片３１及び短側片３２をケース本体２上方から所定の位置に向かって垂直に下げなければならない。ここで、長側片３１及び短側片３２を垂直に下げずに無理に斜めに下げていくと、ケース蓋３をケース本体２に取り付けることができず、更には突部３２ａを破損する虞があった。したがって、上記従来例においてケース蓋３をケース本体２に容易に取り付けるためには、突部３２ａと長側片３１との間の距離を長くする必要があった。
【００１０】
しかしながら、突部３２ａと長側片３１との間の距離を必要以上に長くすると、突部３２ａによる脚片２１が内側に倒れるのを規制する効果が薄れてしまい、脚片２１が内側に倒れることで掛止片３５が掛止孔２５から外れてケース本体２とケース蓋３との結合が解除される虞があった。また、突部３２ａと長側片３１との間の距離が長くなると、突部３２ａと長側片３１によって脚片２１をしっかりと挟むことができないために脚片２１が前後方向に自由に移動してしまい、例えば製造時において長側片３１の開口部３４と脚片２１の掛止孔２５とを正確に重ね合わせることが困難となる虞があった。このため、突部３２ａと長側片３１との間の距離が必要とする長さとなるように設計しなければならず、寸法誤差を極めて小さくしなければならないために製造が困難となるという問題があった。
【００１１】
本発明は、上記の点に鑑みて為されたもので、ケース蓋をケース本体に容易に取り付けることができるとともにケース本体及びケース蓋を確実に結合することのできる放電灯点灯装置及びそれを用いた照明器具、冷蔵ショーケース用照明装置を提供することを目的とする。
【課題を解決するための手段】
【００１２】
請求項１の発明は、上記目的を達成するために、放電灯へ高周波電力を供給するインバータ回路の構成部品が実装される略矩形状のプリント配線板と、プリント配線板の厚み方向においてプリント配線板に対向する略矩形状の主板及び主板の長手方向に沿った両側縁からプリント配線板の長手方向に沿った両側縁に沿って延設された一対の脚片から成る金属製のケース本体と、プリント配線板の厚み方向においてプリント配線板に対向する略矩形状の天板及び天板の長手方向に沿った両側縁から前記脚片を覆うように主板に向かって垂直に延設された一対の長側片及び天板の短手方向に沿った両側縁から前記長側片と直交し且つ主板に向かって垂直に延設された一対の短側片から成り前記プリント配線板を覆うようにケース本体に取り付けられる金属製のケース蓋とを備えた放電灯点灯装置であって、前記短側片は、短手方向に沿った両側縁から突設されて前記脚片の短手方向に沿った両側縁と対向する突片が設けられ、前記長側片は、長手方向の両端部においてそれぞれ開口部を有するとともに該開口部の内周から突出する掛止片が設けられ、前記脚片は、長手方向の両端部において前記掛止片が折曲されて掛止する掛止孔がそれぞれ貫設され、前記脚片が内側に倒れるのを規制する規制手段がケース本体若しくはケース蓋に設けられたことを特徴とする。
【００１３】
請求項２の発明は、請求項１の発明において、規制手段は、前記脚片の短手方向に沿った両側縁にそれぞれ設けられて短側片の短手方向に沿った両側縁と当接するリブから成ることを特徴とする。
【００１４】
請求項３の発明は、請求項２の発明において、ケース本体及びケース蓋は、前記リブと前記短側片との間の距離が少なくとも折曲された掛止片の先端部の長さよりも短くなるように形成されたことを特徴とする。
【００１５】
請求項４の発明は、請求項１乃至３の何れか１項の発明において、短側片は、短手方向に沿った両側縁において棒状の工具が挿入される凹部がそれぞれ設けられたことを特徴とする。
【００１６】
請求項５の発明は、請求項１乃至４の何れか１項の発明において、掛止片は、前記開口部内周の長手方向に沿った一方の側縁又は短手方向に沿った一方の側縁の何れかから突出することを特徴とする。
【００１７】
請求項６の発明は、器具本体と、器具本体に取り付けられて放電灯が着脱自在に装着されるソケットと、ソケットを介して放電灯に電力を供給する請求項１乃至５の何れか１項に記載の放電灯点灯装置とを備えたことを特徴とする。
【００１８】
請求項７の発明は、商品を冷蔵、陳列する庫内に配設されて放電灯が着脱自在に装着されるソケットと、ソケットを介して放電灯に電力を供給する請求項１乃至５の何れか１項に記載の放電灯点灯装置とを備えたことを特徴とする。
【発明の効果】
【００１９】
請求項１の発明によれば、短側片の短手方向に沿った両側縁から突設されて脚片の短手方向に沿った両側縁と対向する突片を設けたので、ケース本体にケース蓋を取り付ける際にケース本体の長手方向におけるズレを防ぐことができ、ケース本体にケース蓋を容易に取り付けることができる。また、脚片が内側に倒れるのを規制する規制手段をケース本体若しくはケース蓋に設けたので、脚片が内側に倒れることで掛止片が掛止孔から外れるのを防ぐことができ、したがってケース本体及びケース蓋を確実に結合することができる。
【００２０】
請求項２の発明によれば、脚片の短手方向に沿った両側縁に短側片の短手方向に沿った両側縁と当接するリブをそれぞれ設けたので、脚片が内側に倒れても該リブが短側片の短手方向に沿った両側縁と当接することで傾きを規制するので、脚片が内側に倒れることで掛止片が掛止孔から外れるのを防ぐことができ、したがってケース本体及びケース蓋を確実に結合することができる。
【００２１】
請求項３の発明によれば、リブと短側片との間の距離が少なくとも折曲された掛止片の先端部の長さよりも短くなるようにケース本体及びケース蓋を形成したので、脚片が内側に倒れても掛止片が掛止孔から外れることがなく、したがってケース本体及びケース蓋をより確実に結合することができる。
【００２２】
請求項４の発明によれば、棒状の工具が挿入される凹部を短側片の短手方向に沿った両側縁にそれぞれ設けたので、凹部から棒状の工具を挿入して折曲された掛止片を折曲方向と逆方向に押し込むことで掛止片による掛止を解除することができる。
【００２３】
請求項６の発明によれば、請求項１乃至５の何れか１項の効果を奏する照明器具を実現することができる。
【００２４】
請求項７の発明によれば、請求項１乃至５の何れか１項の効果を奏する冷蔵ショーケース用照明装置を実現することができる。
【発明を実施するための最良の形態】
【００２５】
まず、本発明に係る放電灯点灯装置の実施形態について図面を用いて説明する。但し、本実施形態の基本的構成は従来例と共通であるので、共通する部位には同一の符号を付して説明を省略する。また、以下の放電灯点灯装置の実施形態の説明では、図１（ａ）における上下左右を上下左右方向、紙面手前側を前方向、紙面奥側を後方向と定める。本実施形態は、図１に示すように、放電灯（図示せず）へ高周波電力を供給するインバータ回路の構成部品（図示せず）が実装される略矩形状のプリント配線板１と、プリント配線板１が載置される金属製のケース本体２と、前記プリント配線板１を覆うようにケース本体２に取り付けられる金属製のケース蓋３とから成り、ケース本体２の脚片２１とケース蓋３の構造に特徴がある。
【００２６】
ケース蓋３の短側片３２には、図１（ａ）に示すように、短手方向に沿った両側縁の上端部にそれぞれ外側に突出する略矩形状の突片３３が突設されている。また、ケース蓋３は、図１（ｂ）に示すように、前側の短側片３２と後側の短側片３２との間の距離Ｌ２が脚片２１の長手方向の長さＬ１よりも僅かに長くなるように形成されている。このため、ケース本体２とケース蓋３を結合する際に、前側の突片３３と後側の突片３３とで脚片２１を挟み込むことができる。したがって、脚片２１が長手方向に移動するのを規制することができるので、開口部３４と掛止孔２５とを容易に重ね合わせることができ、ケース本体２にケース蓋３を容易に取り付けることができる。
【００２７】
また、短側片３２の短手方向に沿った両側縁の下端部は各々丸みを帯びるように形成されている。このため、左右何れかの長側片３１を脚片２１に引掛け、次に引掛けた長側片３１と脚片２１との当接部位を支点として回転させて、もう一方の長側片３１を脚片２１に引掛けるというケース蓋３の取り付けを行なう際に短側片３２の短手方向に沿った両側縁の下端部が回転の妨げとならないので、ケース本体２にケース蓋３を容易に取り付けることができる（図３参照）。
【００２８】
長側片３１の前後方向の両端部には、図１（ｂ）に示すように、略矩形状の切り欠き３４及び掛止片３５がそれぞれ設けられている。掛止片３５は、切り欠き３４内周の短手方向に沿った側縁に一端部が連続一体に連結され当該一端部を除いた部位が切り欠き３４の内周から切り離された切り起こし片によって構成されている。したがって、従来例と同様に、ケース本体２にケース蓋３を取り付けた状態において切り欠き３４と掛止孔２５とを重ね合わせ（図４（ａ）参照）、掛止片３５を折曲させて掛止孔２５に掛止することで、ケース本体２とケース蓋３とが結合される（図４（ｂ）参照）。尚、切り欠き３４及び掛止片３５は本実施形態の構成に限定される必要は無く、例えば従来例の開口部３４及び掛止片３５と同様の構成であっても構わない。
【００２９】
ケース蓋３は、図１（ａ）に示すように、短側片３２下端縁の短手方向の長さが左側の脚片２１と右側の脚片２１との間の距離よりも短くなるように形成されており、脚片２１の長手方向の両端部には、図１（ｂ）に示すように、短側片３２の下端縁と対向する略三角形状のリブ２６が脚片２１と連続一体にそれぞれ形成されている。このため、左右のリブ２６の間に短側片３２が介在するので、脚片２１が内側に倒れてもリブ２６が短側片３２の下端縁と当接することで傾きが規制される。
【００３０】
尚、図２（ｂ）に示すように、ケース本体２とケース蓋３とを結合している状態において、脚片２１（リブ２６）と短側片３２との間の距離Ｌ４は、掛止片３５の掛止孔２５より内側に突出する先端部の長さＬ３よりも短くなるように設定されることが望ましい。このように設定することで、脚片２１が内側に倒れても掛止片３５が掛止孔２５から外れることがないため、ケース本体２とケース蓋３とをより確実に結合することができる。
【００３１】
また、短側片３２の短手方向に沿った両側縁には、それぞれ内側に窪んだ凹部３６が設けられている。凹部３６は、例えばドライバー等の棒状の工具（図示せず）が挿入可能な大きさに形成され、ケース本体２とケース蓋３とが結合している状態において、該凹部３６から棒状の工具を挿入し、折曲された掛止片３５を折曲方向と逆方向に押し込むことで掛止片３５を掛止孔２５から外してケース本体２とケース蓋３との結合を解除することができるようになっている。
【００３２】
上述のように、短側片３２の短手方向に沿った両側縁の上端部にそれぞれ外側に突出する略矩形状の突片３３を突設したので、ケース本体２にケース蓋３を取り付ける際に、前後の突片３３によって脚片２１と挟む込むことでケース本体２の長手方向におけるズレを防ぐことができ、ケース本体２にケース蓋３を容易に取り付けることができる。また、脚片２１の長手方向の両端部に、短側片３２の下端縁と対向する略三角形状のリブ２６を脚片２１と連続一体にそれぞれ形成したので、脚片２１が内側に倒れるのを規制し、掛止片３５が掛止孔２５から外れるのを防ぐことができ、したがってケース本体２とケース蓋３とを確実に結合することができる。
【００３３】
次に、本発明に係る照明器具の実施形態について図面を用いて説明する。尚、以下の照明器具の実施形態の説明では、図５における上下を上下方向と定める。本実施形態は、図５に示すように、天井に設けられた吊ボルト４１によって吊持される平板状の器具本体４と、器具本体４の長手方向における両端に各々２つずつ設けられて２本の放電灯ＬＰが着脱自在に装着されるソケット４０と、器具本体４に取り付けられて放電灯ＬＰからの光を反射させる逆富士型の反射板４２とから成り、前述の実施形態の放電灯点灯装置Ａが器具本体４に取り付けられる。
【００３４】
器具本体４の下方には、一定の間隔を空けてボルト取付孔４ａが設けられており、該ボルト取付孔４ａに吊ボルト４１を上方から挿通し、下方から座金４１ａ及びナット４１ｂで締め付けることで器具本体４が吊持される。また、器具本体４の長手方向における両端及び略中央には、それぞれ反射板４２を取り付けるための取付金具４３が設けられており、反射板４２の長手方向における両端及び略中央にそれぞれ設けられたネジ挿通孔４２ａに下方から取付ネジ４４を挿通し、取付金具４３に設けられた取付孔４３ａに螺合することで反射板４２が器具本体４に取り付けられる。
【００３５】
反射板４２の長手方向における両端には、それぞれソケット４０を挿通させるためのソケット挿通孔４２ｂが２つずつ設けられている。放電灯ＬＰをソケット４０に装着するには、まず反射板４２を器具本体４に取り付ける際にソケット４０を該ソケット挿通孔４２ｂを通して下方に臨ませ、その後に反射板４２の長手方向における略中央に設けられた２つの略円環状の口金４５に放電灯ＬＰを嵌合し、放電灯ＬＰの長手方向における両端をソケット４０に取り付ける。
【００３６】
器具本体４下方の略中央には、放電灯点灯装置Ａと電気的に接続される略箱体の端子台４６が設けられており、外部から引き回される電源線４７を該端子台４６の近傍に設けられた電源線挿通孔４ｂに挿通させて端子台４６に接続し、図示しない電線によって放電灯点灯装置Ａと端子台４６、ソケット４０とをそれぞれ電気的に接続することで放電灯ＬＰに電力が供給される。
【００３７】
上述のように、前述の放電灯点灯装置Ａを用いた照明器具を提供することができる。
【００３８】
最後に、本発明に係る冷蔵ショーケース用照明装置の実施形態について図面を用いて説明する。尚、以下の冷蔵ショーケース用照明装置の実施形態の説明では、図６（ｂ）における上下を上下方向、図６（ｂ）における左右を前後方向と定める。
【００３９】
本実施形態の冷蔵ショーケースは、図６（ｂ）に示すように、断熱材で略箱体に形成されて前面が開口したショーケース本体５と、商品が収納・陳列される収納部５０と、収納部５０を冷却するための冷気が循環するダクト５１とから成り、収納部５０とダクト５１とはダクト板５２によって前後に隔てられている。収納部５０には、複数（図示では４つ）の陳列棚５６が設けられており、各陳列棚５６の前端下面にはそれぞれ放電灯ＬＰが取り付けられている。これらの放電灯ＬＰは、ショーケース本体５の上端部及び下端部にそれぞれ取り付けられた前述の実施形態の放電灯点灯装置Ａによって点灯する。
【００４０】
ダクト５１は、収納部５０を覆うように断面略コ字状に設けられて、内部には冷却器５３が配設されている。ダクト５１の前端下部には空気を吸入する吸入口５１ａが設けられており、該吸入口５１ａから流入した空気が送風ファン（図示せず）によって冷却器５３に送られ、冷却器５３によって冷却された空気がダクト５１の前端上部に設けられた吹出口５１ｂから吹き出すようになっている。吹出口５１ｂから吹き出された空気は再び吸入口５１ａからダクト５１内部に吸入されるため、ショーケース本体５の開口に冷却された空気によるエアカーテンを形成して収納部５０を冷却している。また、ショーケース本体５の上端部には、図６（ａ）に示すように、放電灯ＬＰによる照明を制御するための制御装置（図示せず）の操作部５４と、収納部５０の温度を表示する温度表示器５５とが設けられている。
【００４１】
上述のように、前述の放電灯点灯装置Ａを用いた冷蔵ショーケース用照明装置を提供することができる。
【図面の簡単な説明】
【００４２】
【図１】本発明に係る放電灯点灯装置の実施形態を示す図で、（ａ）は前面図で、（ｂ）は側面図である。
【図２】同上の要部を示す図で、（ａ）はケース本体とケース蓋との結合を示す図で、（ｂ）は一部拡大図である。
【図３】同上のケース本体とケース蓋との結合方法の一例を示す図である。
【図４】同上の掛止片を示す図で、（ａ）は折曲させる前の状態を示す図で、（ｂ）は折曲させた後の状態を示す図である。
【図５】本発明に係る照明器具の実施形態を示す分解斜視図である。
【図６】本発明に係る冷蔵ショーケース用照明装置の実施形態を示す図で、（ａ）は正面図で、（ｂ）は側面図である。
【図７】従来の放電灯点灯装置を示す図で、（ａ）は前面図で、（ｂ）は一部拡大図である。
【図８】同上の概略図で、（ａ）は側面図で、（ｂ）は上面図である。
【符号の説明】
【００４３】
１  プリント配線板
２  ケース本体
２０  主板
２１  脚片
２５  掛止孔
２６  リブ
３  ケース蓋
３０  天板
３１  長側片
３２  短側片
３３  突片
３４  切り欠き（開口部）
３５  掛止片
【図１】
2008108644.tif 000003
【図２】
2008108644.tif 000004
【図３】
2008108644.tif 000005
【図４】
2008108644.tif 000006
【図５】
2008108644.tif 000007
【図６】
2008108644.tif 000008
【図７】
2008108644.tif 000009
【図８】
2008108644.tif 000010